(57)【特許請求の範囲】
【請求項１】
土木工事の工事種別、課題項目、資料項目、入力項目、および資料と、前記工事種別および前記課題項目と前記資料項目および前記入力項目との間の対応関係と、前記資料項目と前記資料との間の対応関係と、を予め格納した提供情報格納部と、
前記土木工事の施工計画書における記載項目および記載文章を登録するための登録情報格納手段と、
前記提供情報格納部から前記工種種別を読み出して表示し、ユーザの操作により選択された前記工種種別を、前記登録情報格納手段に登録する工種種別登録手段と、
前記提供情報格納部から前記課題項目を読み出して表示し、前記ユーザの操作により選択された前記課題項目を、前記登録情報格納手段に登録する課題項目登録手段と、
登録された前記工種種別および前記課題項目に対応する前記資料項目および前記入力項目を、前記提供情報格納部から読み出して表示する画面表示手段と、
前記資料項目に対応する前記資料を、前記提供情報格納部から読み出して表示する資料表示手段と、
前記入力項目に対応付けて、前記ユーザから文章作成の入力を受け付け、かつ、作成された文章を、前記登録情報格納手段に登録する文章登録手段と、
登録された前記文章に基づいて前記施工計画書を作成する施工計画書作成手段と、を有し、
前記画面表示手段は、
前記資料項目および前記入力項目を一画面に同時表示し、
前記資料表示手段は、
前記画面に表示された前記資料項目に対する前記ユーザからの選択操作を受けて、対応する前記資料を表示し、
前記文章登録手段は、
前記画面に表示された前記入力項目に対する前記ユーザからの選択操作を受けて、前記文章作成の入力を受け付ける、
土木工事施工計画書作成支援システム。
【請求項２】
前記提供情報格納部は、
前記工種種別と前記課題項目との組み合わせ毎に、その組み合わせと前記資料を構成する部分との対応関係を予め格納し、
前記文章登録手段は、
登録された前記工種種別と登録された前記課題項目との組み合わせに対応する、前記資料の部分を、前記文章の作成欄と並べて表示する、
請求項１記載の土木工事施工計画書作成支援システム。
【請求項３】
前記資料項目は、積算基準書項目、仕様書項目、および法令項目の少なくとも１つを含み、前記入力項目は、標準案項目、留意項目、調査結果項目、ヒント項目、配慮事項、設定理由、および創意工夫項目の少なくとも１つを含む、
請求項２記載の土木工事施工計画書作成支援システム。
【請求項４】
登録された前記工種種別および前記課題項目に対応する前記資料項目および前記入力項目を表示し、前記ユーザの操作により選択された前記資料項目および前記入力項目を、前記同時表示の対象として前記登録情報格納手段に登録する詳細項目登録手段、を更に有し、
前記詳細項目登録手段は、
前記積算基準書項目、前記仕様書項目、前記法令項目、前記標準案項目、前記留意項目、前記調査結果項目、前記ヒント項目、および前記創意工夫項目の順序で、表示および登録を行う、
請求項３記載の土木工事施工計画書作成支援システム。
【請求項５】
前記文章登録手段は、
文章のテンプレートと、前記文章の空白部分に対応する質問情報とを、一画面に同時表示し、前記質問情報に対応して入力された文字列を、表示されている前記テンプレートの対応部分に逐次挿入して前記文章を完成させる、
請求項２記載の土木工事施工計画書作成支援システム。
【請求項６】
作成された前記施工計画書を、当該施工計画書を作成する際に登録された前記工種種別および前記課題項目の少なくとも１つに対応付けて記憶する履歴記憶手段と、
前記履歴記憶手段に記憶された過去の施工計画書のうち、対応する前記工種種別および前記課題項目が、新たな施工計画書を作成する際に登録された前記工種種別および前記課題項目の少なくとも一部と重複する施工計画書の内容を表示する、履歴情報表示手段、を更に有する、
請求項２記載の土木工事施工計画書作成支援システム。
【請求項７】
前記文章登録手段は、
作成中の文章を表示しながら文章作成の入力を受け付け、
前記履歴情報表示手段は、
前記過去の施工計画書の内容を、前記文章登録手段により表示される作成中の文章と一画面に同時表示する、
請求項６記載の土木工事施工計画書作成支援システム。
【請求項８】
コンピュータにより実行される土木工事施工計画書作成支援方法であって、
土木工事の工事種別、課題項目、資料項目、入力項目、および資料と、前記工事種別および前記課題項目と前記資料項目および前記入力項目との間の対応関係と、前記資料項目と前記資料との間の対応関係と、を予め格納した提供情報格納部から、前記工種種別を読み出して表示し、ユーザの操作により選択された前記工種種別を、前記土木工事の施工計画書における記載項目および記載文章を登録するための登録情報格納手段に登録する工種種別登録工程と、
前記提供情報格納部から前記土木工事の課題項目を読み出して表示し、前記ユーザの操作により選択された前記課題項目を、前記登録情報格納手段に登録する課題項目登録工程と、
登録された前記工種種別および前記課題項目に対応する前記資料項目および前記入力項目を、前記提供情報格納部から読み出して一画面に同時表示する画面表示工程と、
前記画面に表示された前記資料項目が前記ユーザの操作により選択されたとき、選択された前記資料項目に予め対応付けられた前記資料を表示し、前記画面に表示された前記入力項目が前記ユーザの操作により選択されたとき、選択された前記入力項目に対応付けて、文章作成の入力を受け付け、かつ、作成された文章を、前記登録情報格納手段に登録する資料表示文章登録工程と、
登録された前記文章に基づいて前記施工計画書を作成する施工計画書作成工程と、
を有する土木工事施工計画書作成支援方法。
【請求項９】
コンピュータに、
土木工事の工事種別、課題項目、資料項目、入力項目、および資料と、前記工事種別および前記課題項目と前記資料項目および前記入力項目との間の対応関係と、前記資料項目と前記資料との間の対応関係と、を予め格納した提供情報格納部から、前記工種種別を読み出して表示し、ユーザの操作により選択された前記工種種別を、前記土木工事の施工計画書における記載項目および記載文章を登録するための登録情報格納手段に登録する工種種別登録処理と、
前記提供情報格納部から前記土木工事の課題項目を読み出して表示し、前記ユーザの操作により選択された前記課題項目を、前記登録情報格納手段に登録する課題項目登録処理と、
登録された前記工種種別および前記課題項目に対応する前記資料項目および前記入力項目を、前記提供情報格納部から読み出して一画面に同時表示する画面表示処理と、
前記画面に表示された前記資料項目が前記ユーザの操作により選択されたとき、選択された前記資料項目に予め対応付けられた前記資料を表示し、前記画面に表示された前記入力項目が前記ユーザの操作により選択されたとき、選択された前記入力項目に対応付けて、文章作成の入力を受け付け、かつ、作成された文章を、前記登録情報格納手段に登録する資料表示文章登録処理と、
登録された前記文章に基づいて前記施工計画書を作成する施工計画書作成処理と、
を実行させる土木工事施工計画書作成支援プログラム。
【発明の詳細な説明】
【技術分野】
【０００１】
本発明は土木工事の施工計画書の作成を支援する土木工事施工計画書作成支援システム、土木工事施工計画書作成支援方法、および土木工事施工計画書作成支援プログラムに係り、特に、総合評価方式における技術提案書としての施工計画書の作成に適した土木工事施工計画書作成支援システム、土木工事施工計画書作成支援方法、および土木工事施工計画書作成支援プログラムに関する。
【背景技術】
【０００２】
近年、公共工事や民間工事における施工業者の競争入札の際に、各入札業者が作成する施工計画書の内容を考慮して落札業者を決定することが広く行われている。施工計画書とは、施工業者が計画する具体的な施工計画等を記載した技術提案書であり、その施工業者の工事の品質を判断する際の指標となるものである。
【０００３】
特に、公共工事では、工事の品質確保の観点から法整備が進められており、多くの地方公共団体が、施工計画書の内容を考慮して入札業者を総合的に評価する総合評価方式を導入している。評価の良し悪しは、落札業者の決定に大きく影響する。したがって、質の高い施工計画書を作成することは、各種施工業者にとって非常に重要な作業となっている。通常、施工計画書には、少なくとも工種種別に対応して設定した、工事の課題と、その課題を解決するための具体的な施工計画を記載することが求められている。
【０００４】
ところで、各種工事の中で、土木工事は、工種種別の数が多く、また、工事ごとに適用される工種種別が大きく異なるという特徴がある。したがって、特に土木工事については、必要な施工計画書を作成するのに、膨大な手間と時間が掛かっていた。このような施工計画書の作成の労力を軽減するための技術の蓄積はなく、記載すべき先行技術文献情報はない。
【発明の概要】
【発明が解決しようとする課題】
【０００５】
しかしながら、通常、施工計画書の提出自体は対価を得られるものではなく、また、施工計画書の提出により工事の受注が保証されるものではない。したがって、施工計画書の作成は、できるだけ少ない労力で行い、施工計画書の作成コストを抑えることが望ましい。一方で、作成にかける労力を低減した結果として低品質の施工計画書を提出すると、落札の可能性は低くなる。したがって、少ない労力で高品質な施工計画書を作成することが求められる。
【０００６】
本発明の目的は、少ない労力で高品質な施工計画書を作成することができる土木工事施工計画書作成支援システム、土木工事施工計画書作成支援方法、および土木工事施工計画書作成支援プログラムを提供することである。
【課題を解決するための手段】
【０００７】
本発明の土木工事施工計画書作成支援システムは、土木工事の工種種別を表示して登録する工種種別登録手段と、土木工事の課題項目を表示して登録する課題項目登録手段と、登録された前記工種種別および前記課題項目に対応する資料項目および入力項目を、画面に表示する画面表示手段と、前記資料項目に予め対応付けられた資料を表示する資料表示手段と、前記入力項目に対応付けて、文章作成の入力を受け付け、かつ、作成された文章を登録する文章登録手段と、登録された前記文章に基づいて施工計画書を作成する施工計画書作成手段とを有し、前記画面表示手段は、前記資料項目および前記入力項目を一画面に同時表示し、前記資料表示手段は、前記画面に表示された前記資料項目に対する選択操作を受けて、対応する前記資料を表示し、前記文章登録手段は、前記画面に表示された前記入力項目に対する選択操作を受けて、前記文章作成の入力を受け付ける構成を採る。
【０００８】
本発明の土木工事施工計画書作成支援方法は、土木工事の工種種別を表示して登録する工種種別登録工程と、土木工事の課題項目を表示して登録する課題項目登録工程と、登録された前記工種種別および前記課題項目に対応する資料項目および入力項目を、一画面に同時表示する画面表示工程と、前記画面に表示された前記資料項目が選択されたとき、選択された前記資料項目に予め対応付けられた資料を表示し、前記画面に表示された前記入力項目が選択されたとき、選択された前記入力項目に対応付けて、文章作成の入力を受け付け、かつ、作成された文章を登録する資料表示文章登録工程と、登録された前記文章に基づいて施工計画書を作成する施工計画書作成工程とを有するようにした。
【０００９】
本発明の土木工事施工計画書作成支援プログラムは、コンピュータに、土木工事の工種種別を表示して登録する工種種別登録処理と、土木工事の課題項目を表示して登録する課題項目登録処理と、登録された前記工種種別および前記課題項目に対応する資料項目および入力項目を、一画面に同時表示する画面表示処理と、前記画面に表示された前記資料項目が選択されたとき、選択された前記資料項目に予め対応付けられた資料を表示し、前記画面に表示された前記入力項目が選択されたとき、選択された前記入力項目に対応付けて、文章作成の入力を受け付け、かつ、作成された文章を登録する資料表示文章登録処理と、登録された前記文章に基づいて施工計画書を作成する施工計画書作成処理とを実行させるようにした。
【発明の効果】
【００１０】
本発明によれば、資料項目および入力項目を、施工計画書作成に必要であって一画面に同時表示可能な個数の項目にまで絞り込むことができる。そして、ユーザは、一画面に同時表示された資料項目および入力項目に対する操作により、資料の参照と文章の作成とを、同時にまたは効率良く切り替えながら、必要な文章を登録することができる。これにより、ユーザは、少ない労力で高品質な施工計画書を作成することができる。
【図面の簡単な説明】
【００１１】
【図１】本発明の実施の形態１に係る土木工事施工計画書作成支援システムの構成を示すシステム構成図
【図２】本実施の形態１に係る土木工事施工計画書作成支援システムが取り扱う各種情報および項目リンク情報の概要を示す図
【図３】本実施の形態１における項目リンク情報の構成のうち項目別マスタに関する部分の構成の一例を示す図
【図４】本実施の形態１における項目リンク情報の構成のうち管理マスタに関する部分の構成の一例を示す図
【図５】本実施の形態１に係る土木工事施工計画書作成支援システムの動作の概要を示す図
【図６】本実施の形態１における案件登録画面を示す図
【図７】本実施の形態１における法令・基準書一覧ページを示す図
【図８】本実施の形態１における基準書検索画面を示す図
【図９】本実施の形態１における留意判断項目ページを示す図
【図１０】本実施の形態１における留意判断項目検索画面を示す図
【図１１】本実施の形態１における留意判断項目詳細画面を示す図
【図１２】本実施の形態１における資料添付ページを示す図
【図１３】本実施の形態１における課題設定ページを示す図
【図１４】本実施の形態１における施工計画詳細画面を示す図
【図１５】本実施の形態１における施工計画詳細画面が表示する文章作成補助画面を示す図
【図１６】本実施の形態１における文章の組み立てに使用されるテンプレートの一例を示す図
【図１７】本実施の形態１における施工計画検索画面を示す図
【図１８】本実施の形態１における簡易な施工計画ページを示す図
【図１９】本実施の形態１における簡易な施工計画詳細画面を示す図
【図２０】本実施の形態１における簡易な施工計画詳細画面が表示する文章作成補助画面を示す図
【図２１】本実施の形態１における施工計画書作成ページを示す図
【図２２】本実施の形態１において最終的に作成される施工計画書の一例を示す図
【図２３】本発明の実施の形態２に係る土木工事施工計画書作成支援システムの構成を示すシステム構成図
【図２４】本実施の形態２に係る土木工事施工計画書作成支援システムが取り扱う各種情報および項目リンク情報の概要を示す図
【図２５】本実施の形態２における工事一覧画面を示す図
【図２６】本実施の形態２における施工計画書表示画面を示す図
【図２７】本実施の形態２における工事情報入力画面を示す図
【図２８】本実施の形態２における工種種別選択画面を示す図
【図２９】本実施の形態２における基準書確認画面を示す図
【図３０】本実施の形態２における基準書表示画面を示す図
【図３１】本実施の形態２における仕様書確認画面を示す図
【図３２】本実施の形態２における仕様書表示画面を示す図
【図３３】本実施の形態２における法令確認画面を示す図
【図３４】本実施の形態２における法令表示画面を示す図
【図３５】本実施の形態２における標準案選択画面を示す図
【図３６】本実施の形態２における標準案作成画面を示す図
【図３７】本実施の形態２における標準案確認画面を示す図
【図３８】本実施の形態２における留意事項選択画面を示す図
【図３９】本実施の形態２における留意事項作成画面を示す図
【図４０】本実施の形態２における留意事項確認画面を示す図
【図４１】本実施の形態２における調査結果入力画面を示す図
【図４２】本実施の形態２における調査結果確認画面を示す図
【図４３】本実施の形態２におけるヒント項目選択画面を示す図
【図４４】本実施の形態２におけるヒント編集画面を示す図
【図４５】本実施の形態２におけるヒント確認画面を示す図
【図４６】本実施の形態２における創意工夫作成画面を示す図
【図４７】本実施の形態２における設定理由作成画面を示す図
【図４８】本実施の形態２における文章作成画面を示す図
【図４９】本実施の形態２における施工計画書作成画面を示す図
【図５０】本実施の形態２における施工計画書作成画面を示す図
【図５１】本実施の形態２における施工計画書作成画面を示す図
【図５２】本実施の形態２における施工計画書作成画面を示す図
【図５３】本実施の形態２における工程計画機能画面を示す図
【発明を実施するための形態】
【００１２】
以下、本発明の各実施の形態について、図面を参照して詳細に説明する。
【００１３】
（実施の形態１）
図１は、本発明の実施の形態１に係る土木工事施工計画書作成支援システムの構成を示すシステム構成図である。
【００１４】
本実施の形態に係る土木工事施工計画書作成支援システムは、例えばパーソナルコンピュータにおいてＣＰＵ（central processing unit）のプログラム実行によりソフトウェア的に実現されるものである。図１に示す土木工事施工計画書作成支援システム１００は、キーボードおよびポインティングデバイス等の入力装置（図示せず）を有しており、ユーザによる各種の選択操作および文字入力操作を受け付ける。また、土木工事施工計画書作成支援システム１００は、液晶ディスプレイ等の表示装置（図示せず）を有しており、ユーザによる選択操作および文字入力操作を受け付けるための各種画面を表示する。
【００１５】
図１において、土木工事施工計画書作成支援システム１００は、情報登録用データ格納部１１０、項目選択部１３０、文章作成部１４０、書式データ格納部１５０、添付資料入力部１６０、計画書作成部１７０、情報出力部１８０、履歴情報格納部１９０を有する。
【００１６】
情報登録用データ格納部１１０は、土木工事施工計画書（以下単に「施工計画書」という）の作成に用いられる各種項目および各種情報を予め格納している。情報登録用データ格納部１１０は、項目リンク情報格納部１１１、工種種別格納部１１２、カテゴリ格納部１１３、留意判断項目格納部１１４、施工計画項目格納部１１５、法令・基準情報格納部１１６、留意事項ヒント格納部１１７、課題項目格納部１１８、および質問情報格納部１１９を有する。
【００１７】
項目リンク情報格納部１１１は、各種項目と各種情報とのリンク関係を規定する項目リンク情報を格納する。項目リンク情報は、ある項目が登録されたときに、その登録された項目に関連するもののみに絞って他の項目や情報をユーザに提示するための情報である。
【００１８】
工種種別格納部１１２は、土木工事における工種および種別を格納する。
【００１９】
カテゴリ格納部１１３は、工事条件を分類したカテゴリを格納する。
【００２０】
留意判断項目格納部１１４は、土木工事に際して留意、判断および調査等をすべき事項（以下、適宜「留意事項」という）の種類を示す留意判断項目を格納する。
【００２１】
施工計画項目格納部１１５は、土木工事における施工計画の種類を示す施工計画項目を格納する。
【００２２】
法令・基準情報格納部１１６は、土木工事に関連する各種の法令情報や基準書情報の種類を示す情報項目および各情報項目に対応する情報を格納する。
【００２３】
留意事項ヒント格納部１１７は、留意事項の文章を作成する際のヒントとなる留意事項ヒントを格納する。
【００２４】
課題項目格納部１１８は、土木工事に際して検討すべき課題の種類を示す課題項目を格納部する。
【００２５】
質問情報格納部１１９は、ユーザによる文章作成を促すための質問内容である質問情報を格納する。
【００２６】
項目選択部１３０は、項目リンク情報に従って、情報登録用データ格納部１１０に格納された項目を選択肢として画面に表示し、ユーザにより選択された項目を施工計画書の記載項目として登録する。項目選択部１３０は、工事情報設定部１３１、留意事項確認部１３２、施工内容確認部１３３、法令・基準書確認部１３４、および課題項目設定部１３５を有する。
【００２７】
工事情報設定部１３１は、土木工事ごとに、工事場所、発注者、工事コード、工種、および種別などの所定の情報（以下、適宜「工事情報」と総称する）を、ユーザ操作を受けて登録する。
【００２８】
留意事項確認部１３２は、登録された工種および種別との組み合わせ（以下「工種種別」という）に対応する留意判断項目を表示し、ユーザにより選択された留意判断項目を登録する。
【００２９】
施工内容確認部１３３は、登録された工種種別、カテゴリ、および留意判断項目に対応する施工計画項目を表示し、ユーザにより選択された施工計画項目を登録する。
【００３０】
法令・基準書確認部１３４は、登録された工種種別、カテゴリ、留意判断項目、および施工計画項目に対応する法令情報および基準書情報の情報項目を表示し、ユーザにより情報項目が選択されたとき、選択された情報項目に対応する情報を表示する。
【００３１】
課題項目設定部１３５は、課題項目を表示し、ユーザにより選択された課題項目を登録する。
【００３２】
文章作成部１４０は、項目選択部１３０で登録された項目ごとに、ユーザによる文章入力を受け付け、入力された文章を施工計画書の記載文章として登録する。文章作成部１４０は、留意事項作成部１４１、施工計画作成部１４２、設定理由作成部１４３、および文章作成補助部１４４を有する。
【００３３】
留意事項作成部１４１は、登録された留意判断項目ごとに、ユーザによる文章入力を受け付け、ユーザにより入力された留意事項の文章を登録する。
【００３４】
施工計画作成部１４２は、登録された施工計画項目ごとに、登録された課題項目に対応付けて、ユーザにより入力された施工計画の内容（以下、単に「施工計画」という）の文章を登録する。
【００３５】
設定理由作成部１４３は、登録された課題項目に対応付けて、ユーザにより入力された課題設定理由の文章を登録する。
【００３６】
文章作成補助部１４４は、施工計画作成部１４２で施工計画の文章入力を受け付ける際に、施工計画に関する質問情報を表示して、ユーザの文章作成を補助する。また、文章作成補助部１４４は、設定理由作成部１４３で設定理由の文章入力を受け付ける際に、設定理由に関する質問情報を表示して、ユーザの文章作成を補助する。
【００３７】
書式データ格納部１５０は、施工計画書の書式データ（以下単に「書式データ」という）を格納する。書式データは、項目選択部１３０で登録された項目と、文章作成部１４０で登録された文章と、添付資料入力部１６０で登録された添付資料とを用いて、どのように施工計画書を構成するかを規定するデータである。
【００３８】
添付資料入力部１６０は、現場写真や調査結果の画像データ等、施工計画書に添付または挿入される資料（以下「添付資料」と総称する）の入力を受け付け、入力された添付資料を登録する。
【００３９】
計画書作成部１７０は、書式データ格納部１５０に格納された書式データに基づき、項目選択部１３０で登録された項目と、文章作成部１４０で登録された文章と、添付資料入力部１６０で登録された添付資料とを用いて、施工計画書のデータを作成する。
【００４０】
情報出力部１８０は、計画書作成部１７０で作成された施工計画書のデータを、データ出力またはプリンタ出力する。
【００４１】
履歴情報格納部１９０は、計画書作成部１７０で作成された施工計画書のデータを、その施工計画書のデータの作成に用いられた工事コード、留意判断項目、施工計画項目、および課題項目に対応付けて、履歴情報として格納する。
【００４２】
ここで、土木工事施工計画書作成支援システム１００が取り扱う各種情報および項目リンク情報の概要について説明する。
【００４３】
図２は、土木工事施工計画書作成支援システム１００が取り扱う各種情報および項目リンク情報の概要を示す図である。図２において、各矢印の方向は、項目リンク情報が規定する提示項目および提示情報の絞り込み、または入力文章の対応付けが行われる方向である。
【００４４】
図２に示すように、例えば、留意判断項目は、工種種別およびカテゴリにリンクしている。これは、留意判断項目格納部１１４に格納された留意判断項目のうち、登録された工種種別に対応する留意判断項目や付加的に選択されたカテゴリに対応する留意判断項目以外は、原則として、施工計画書への記載が不要であるということを示す。また、施工計画項目は、工種種別、カテゴリ、および留意判断項目にリンクしている。これは、施工計画項目格納部１１５に格納された施工計画項目のうち、登録された工種種別および留意判断項目の組み合わせに対応する施工計画項目や付加的に選択されたカテゴリに対応する施工計画項目以外の施工計画項目は、原則として、施工計画書への記載が不要であるということを示す。
【００４５】
工種種別、留意判断項目、およびカテゴリを考慮しない場合、施工計画書に記載すべきと判断される可能性のある施工計画項目の数は膨大である。このような膨大な数の施工計画項目を選択肢として提示しても、ユーザがその中から必要なものを選択するのには、時間と手間が掛かる。そこで、本実施の形態に係る土木工事施工計画書作成支援システム１００は、項目リンク情報に従ってユーザに提示する項目や情報を必要なものにのみ絞り込むことにより、ユーザが施工計画書を作成するのに要する時間と手間を軽減する。
【００４６】
例えば、上記した施工計画項目の場合、工種種別、留意判断項目、およびカテゴリに基づいて絞り込まれ、また、留意判断項目は既に工種種別およびカテゴリに基づいて絞り込まれたものであることから、そのユーザに提示される数は大幅に低減されることになる。
【００４７】
また、例えば、設定理由は、課題項目にリンクしており、課題項目ごとに対応付けて設定理由の登録が行われる。
【００４８】
また、例えば、履歴情報は、工事コード、留意判断項目、施工計画項目、および課題項目にリンクしており、工事コード、留意判断項目、施工計画項目、および課題項目の１つまたは複数の組み合わせに基づいて、対応するもののみがユーザに提示される。
【００４９】
項目リンク情報は、具体的には、各種項目ごとに用意された項目別マスタと、各マスタを対応付けた管理マスタとにより構成される。
【００５０】
図３および図４は、項目リンク情報の構成の一例を示す図である。項目リンク情報を構成する情報は、主に、項目別マスタと、管理マスタに分かれる。
【００５１】
図３に示すように、項目リンク情報は、項目別マスタとして、工種マスタ２０１、種別マスタ２０２、留意判断項目マスタ２０３、施工計画マスタ２０４、法令マスタ２０５、基準書マスタ２０６、カテゴリマスタ２０７、および課題マスタ２０８を含む。
【００５２】
また、図４に示すように、項目リンク情報は、管理マスタとして、工種種別マスタ２１１、項目管理マスタ２１２、留意判断項目情報２１３、施工計画情報２１４、および工事支援情報２１５を含む。
【００５３】
工種種別マスタ２１１は、工種マスタ２０１にリスト化された工種と、種別マスタにリスト化された種別との対応付けを規定する。
【００５４】
項目管理マスタ２１２は、工種種別マスタ２１０にリスト化された工種種別と、施工計画マスタにリスト化された施工計画項目、法令マスタ２０５にリスト化された法令情報と、基準書マスタ２０６にリスト化された基準書情報との対応付けを規定する。
【００５５】
留意判断項目情報２１３は、カテゴリマスタ２０７にリスト化されたカテゴリと、留意判断項目マスタ２０３にリスト化された留意判断項目との対応付けを規定する。
【００５６】
施工計画情報２１４は、カテゴリマスタ２０７にリスト化されたカテゴリと、施工計画マスタ２０４にリスト化された施工計画項目との対応付けを規定する。
【００５７】
工事支援情報２１５は、履歴情報格納部１９０に格納された施工計画書の工事コードと、施工計画マスタ２０４にリスト化された施工計画項目と、課題マスタ２０８にリスト化された課題項目との対応付けを規定する。
【００５８】
図１の項目選択部１３０および文章作成部１４０は、このような構成の項目リンク情報を参照することにより、提示する項目および情報の絞り込みや、情報の対応付けを行う。
【００５９】
このような構成の土木工事施工計画書作成支援システム１００によれば、ユーザは、登録した項目に対応して表示される項目の中から選択して登録する作業を繰り返すことにより、内容に過不足の無い施工計画書を簡単に作成することができる。
【００６０】
また、例えば、土木工事においては、複数の工種に同一または類似する種別が存在しており、個別に施工が行われるものの、留意事項や課題、施工計画を共通とする場合が多い。例えば、コンクリート打設は、複数の工種において実施される。このような場合に、本実施の形態の土木工事施工計画書作成支援システム１００によれば、異なる工種での共通部分をまとめて扱うことができ、重複した作業を低減することができるだけでなく、記載内容の重複を低減することができる。
【００６１】
以下、上述のように構成された土木工事施工計画書作成支援システム１００の動作について説明する。
【００６２】
ユーザは、土木工事施工計画書作成支援システム１００が表示する各種画面によるナビゲーションを受けて、工事の設計書、特記仕様書、および数量表などの各種設計図書を参照しながら、選択・入力操作を行うことにより、施工計画書の作成を行う。
【００６３】
まず、土木工事施工計画書作成支援システム１００の動作の概要について説明する。
【００６４】
図５は、土木工事施工計画書作成支援システム１００の動作の概要を示す図である。
【００６５】
土木工事施工計画書作成支援システム１００は、画面の表示内容と画面遷移とにより、ユーザの業務のナビゲーションを行う。具体的には、土木工事施工計画書作成支援システム１００は、図５に示すように、ユーザに対し、作業フロー確認画面で作業フローの確認をさせ（Ｓ１０００）、次いで、工事情報の設定（Ｓ２０００）、留意事項の確認（Ｓ３０００）、施工内容の確認（Ｓ４０００）、法令および基準書の確認（Ｓ５０００）、施工計画の作成（Ｓ６０００）、および課題の設定理由の作成（Ｓ７０００）を支援する。
【００６６】
具体的には、ステップＳ１０００において、図１の項目選択部１３０は、作業フロー確認画面を表示して、作業を行うステップの選択を受け付ける。
【００６７】
そして、ステップＳ２０００において、図１の工事情報設定部１３１は、後述する案件登録画面において工種種別の選択を受け付け、選択された工種種別を登録する。
【００６８】
そして、ステップＳ３０００において、図１の留意事項確認部１３２は、後述する留意判断項目ページにおいて留意判断項目の選択を受け付け、選択された留意判断項目を登録する。このとき、留意事項確認部１３２は、項目リンク情報に基づいて、ステップＳ２０００で登録された工種種別に対応するものを選択肢として表示する。
【００６９】
そして、ステップＳ４０００において、図１の課題項目設定部１３５は、後述する課題設定ページにおいて、課題項目の選択を受け付ける。また、図１の施工内容確認部１３３は、施工計画項目の選択を受け付けて登録する。このとき、施工内容確認部１３３は、項目リンク情報に基づいて、ステップＳ２０００で登録された工種種別およびステップＳ３０００で登録された留意判断項目に対応するものを選択肢として表示する。
【００７０】
そして、ステップＳ５０００において、図１の法令・基準書確認部１３４は、後述する法令・基準書一覧ページにおいて、ステップＳ２０００で登録された工種種別およびステップＳ４０００で登録された施工計画項目に対応する法令情報および基準書情報の一覧を表示する。
【００７１】
そして、ステップＳ６０００において、図１の施工計画作成部１４２は、後述する施工計画詳細画面および簡易な施工計画詳細画面において、施工計画の文章入力を受け付け、入力された文章を、ステップＳ４０００で登録された課題項目に対応付けて登録する。このとき、このとき、図１の文章作成補助部１４４は、適宜、後述する文章作成補助画面において、サンプル文を作成し、ユーザの文章作成を補助する。
【００７２】
そして、ステップＳ７０００において、図１の設定理由作成部１４３は、簡易な施工計画詳細画面において、課題の設定理由の文章入力を受け付け、入力された文章を、ステップＳ４０００で登録された課題項目に対応付けて登録する。
【００７３】
このように、土木工事施工計画書作成支援システム１００は、ユーザの作業をナビゲーションし、施工計画書の作成に必要な情報を順次登録する。
【００７４】
次に、ユーザ操作に従って遷移する表示画面の様子を示しながら、新規に施工計画書の作成が開始されたときの土木工事施工計画書作成支援システム１００の動作の一例について説明する。
【００７５】
図６は、案件登録画面を示す図である。図６に示す案件登録画面３０１は、工事コード、工事名、工事場所、工事概要、発注者等を含む工事情報の登録を受け付ける。特に、案件登録画面３０１は、工種種別登録欄４１１において工種種別を表示してユーザ選択を受け付け、登録ボタン４１２のクリックにより、選択された工種種別を登録する。
【００７６】
このように、案件登録画面３０１では、工事コードと工種種別とを含む各種工事情報の登録が行われる。
【００７７】
図７は、案件詳細画面の法令・基準書一覧ページを示す図である。案件詳細画面は、複数のページをタブの選択により切り替えて表示することができる画面であり、例えば、図３の登録ボタン４１２がクリックされたときに表示される。
【００７８】
図７に示す法令・基準書一覧ページ３０２は、登録法令・基準書表示欄４２１において、登録された工種種別に対応する法令情報および基準書情報の名称を表示対象として一覧表示する。法令・基準書一覧ページ３０２は、削除ボタン４２２のクリックにより、該当する情報を一覧から削除し、情報の名称のクリックにより、該当する情報の詳細を表示する。なお、削除ボタンの機能は、以降説明する各画面および各ページで同様となっている。
【００７９】
また、法令・基準書一覧ページ３０２は、基準書検索ボタン４２５のクリックにより、表示されていない情報を一覧に追加するための基準書検索画面を表示する。
【００８０】
図８は、基準書検索画面を示す図である。図８に示す基準書検索画面３０３は、カテゴリ選択欄４３１においてカテゴリの一覧を表示してユーザ選択を受け付け、選択されたカテゴリに対応する基準書情報の名称を、基準書表示欄４３２に表示候補として一覧表示する。また、基準書検索画面３０３は、別ページにおいて、入力キーワードによる基準書情報報検索を行い、検索された情報を、参照候補に追加する。そして、基準書検索画面３０３は、一覧表示した基準書情報の名称に対するユーザ選択を受け付け、追加ボタン４３３のクリックにより、選択された基準書情報を表示対象に追加し、図７の法令・基準書一覧ページ３０２に戻る。同様に、図７の法令検索ボタン４２４のクリックにより、法令情報の表示対象への追加が可能となっている。
【００８１】
このように、法令・基準書一覧ページ３０２では、表示対象となる法令情報および基準書情報がリスト化される。ユーザは、法令・基準書一覧ページ３０２における情報の名称のクリックにより、必要に応じて参照すべき法令情報または基準書情報を簡単に参照することができる。
【００８２】
図９は、案件情報画面の留意判断項目ページを示す図である。図９に示す留意判断項目ページ３０４は、留意判断項目一覧４４１において、登録された工種種別に対応する留意判断項目を、登録候補として一覧表示する。留意判断項目ページ３０４は、要不要チェックボックス４４２に対するユーザのチェックを受け付け、変更ボタン４４３のクリックにより、チェックの入った留意判断項目を登録する。
【００８３】
また、留意判断項目ページ３０４は、変更ボタン４４３のクリックにより、要不要チェックボックス４４２にチェックの入った留意判断項目（つまり登録されている項目）が上位に配置されるように、留意判断項目一覧４４１をソートする。
【００８４】
また、留意判断項目ページ３０４は、工種種別選択ボタン４４４または工事条件選択ボタン４４５のクリックにより、表示されていない留意判断項目を一覧に追加するための留意判断項目検索画面を表示する。
【００８５】
図１０は、留意判断項目検索画面を示す図である。図１０に示す留意判断項目検索画面３０５は、工種種別選択欄４５１において工種種別を一覧表示してユーザ選択を受け付け、選択された工種種別に対応する留意判断項目を、留意判断項目表示欄４５２に一覧表示する。または、カテゴリ選択欄４５３においてカテゴリを一覧表示してユーザ選択を受け付け、選択されたカテゴリに対応する留意判断項目を、留意判断項目表示欄４５２に一覧表示する。また、留意判断項目検索画面３０５は、別ページにおいて、入力キーワードによる留意判断項目検索を行い、検索された情報を、一覧に追加する。そして、留意判断項目検索画面３０５は、一覧表示した留意判断項目に対するユーザ選択を受け付け、追加ボタン４５４のクリックにより、選択された留意判断項目を登録候補に追加し、図９の留意判断項目ページ３０４に戻る。
【００８６】
また、図９に示す留意判断項目ページ３０４は、留意判断項目のクリックにより、対応する留意事項ヒントを表示して留意事項の文章を入力するための留意判断項目詳細画面を表示する。
【００８７】
図１１は、留意判断項目詳細画面を示す図である。図１１に示す留意判断項目詳細画面３０６は、他工事選択欄４６１において、同一の留意判断項目が登録された過去の工事の一覧を表示してユーザ選択を受け付け、選択された工事で登録された留意事項の文章を、履歴情報欄４６２に表示する。また、留意判断項目詳細画面３０６は、留意判断項目に対応して予め用意された留意事項ヒントを、ヒント欄４６３に表示する。そして、留意判断項目詳細画面３０６は、留意事項入力欄４６４において留意事項の文章のユーザ入力を受け付け、登録ボタン４６５のクリックにより、入力された留意事項を対応する留意判断項目に対応付けて登録する。
【００８８】
図９に示す留意判断項目ページ３０４は、ファイル出力ボタン４４７のクリックにより、要不要チェックボックス４４２にチェックの入っている留意判断項目および留意事項をファイル出力する。
【００８９】
このように、留意判断項目ページ３０４では、過去の同一の留意判断項目が登録された工事の情報やヒントを参照しながら、留意判断項目および留意事項を登録することができる。登録された留意判断項目および留意事項は、適宜プリントアウトすることができ、現地調査においても参照することができる。
【００９０】
図１２は、案件詳細画面の資料添付ページを示す図である。図１２に示す資料添付ページ３０７は、追加ボタン４７１のクリックにより、指定された場所から追加資料を取得して所定の格納領域に格納し、その追加資料のファイル名を格納ファイル一覧４７２に追加する。格納ファイル一覧４７２に追加された資料は、添付資料として登録される。
【００９１】
このように、資料添付ページ３０７では、添付資料の登録が行われる。
【００９２】
図１３は、案件詳細画面の課題設定ページを示す図である。図１３の課題設定ページ３０８は、課題項目選択欄４８１において、課題項目の一覧をプルダウン表示してユーザ選択を受け付ける。また、課題設定ページ３０８は、施工計画一覧４８２において、登録された工種種別、カテゴリ、および留意判断項目に対応する施工計画項目を、登録候補として一覧表示する。課題設定ページ３０８は、施工計画一覧４８２で施工計画項目を一覧表示し、施工計画項目のクリックにより、該当する施工計画項目についての施工計画の文章入力および課題項目との対応付けを行うための施工計画詳細画面を表示する。
【００９３】
図１４は、施工計画詳細画面を示す図である。図１４に示す施工計画詳細画面３０９は、課題項目選択欄４９１において課題項目のユーザ選択を受け付ける。また、施工計画詳細画面３０９は、他工事選択欄４９２において、同一の施工計画項目が登録された過去の工事を一覧表示してユーザ選択を受け付け、選択された工事で登録された施工計画の文章を、履歴情報欄４９３に表示する。また、施工計画詳細画面３０９は、施工計画項目に対応して予め用意された施工計画のポイントを、ポイント欄４９４に表示する。そして、施工計画詳細画面３０９は、施工計画入力欄４９５（初期状態では空欄）において施工計画の文章のユーザ入力を受け付ける。すなわち、施工計画詳細画面３０９は、過去の施工計画の登録内容と、施工計画の文章入力欄とを、一画面に同時表示する。
【００９４】
また、施工計画詳細画面３０９は、文章作成ボタン４９６のクリックにより、文章作成を補助するための文章作成補助画面をポップアップ表示する。
【００９５】
図１５は、施工計画詳細画面３０９が表示する文章作成補助画面を示す図である。図１５の文章作成補助画面３１０は、作成文章選択欄５０１で、文章パターンの一覧をプルダウン表示してユーザ選択を受け付ける。そして、文章作成補助画面３１０は、選択された文章パターンに対応する質問情報を表示して入力欄５０２への文字列入力を受け付け、文章作成ボタン５０３のクリックにより、入力された文字列を文章に組み立てて文章表示欄５０４に表示する。
【００９６】
図１６は、文章作成補助画面３１０が文章の組み立てに使用するテンプレートの一例を示す図である。テンプレート７１０は、文章パターンに対応付けて、質問内容と、入力された文字列に付加する接続文と、文字列を文章に登場させる順序とを規定している。
【００９７】
文章作成補助画面３１０は、テンプレート７１０に規定された順序に従って、質問内容とこれに対応する入力欄５０２を配置する。そして、文章作成補助画面３１０は、入力欄５０２に記入された文字列にテンプレート７１０に規定された対応する接続文を付加し、テンプレート７１０に規定された順序で配置して、文章を自動構成する。
【００９８】
図１５の文章作成補助画面３１０が閉じられると、文章作成補助画面３１０の文章表示欄５０４の文章が、図１４の施工計画詳細画面３０９の施工計画入力欄４９５に転記される。施工計画詳細画面３０９は、自動生成された施工計画入力欄４９５の文章であっても、その文章に対するユーザ編集を受け付けるとともに、構文チェックボタン４９７のクリックにより、その文章に対する構文チェックを行う。そして、文章作成補助画面３１０は、登録ボタン４９８のクリックにより、入力・編集された施工計画を、選択された課題項目に対応付けて登録する。なお、構文チェックボタンの機能は、以降説明する各画面および各ページで同様となっている。
【００９９】
このように、施工計画詳細画面３０９では、適宜、ユーザの入力文字列をテンプレートに当て嵌めて文章を自動生成することができるので、文章作成を簡単に行うことができる。また、過去の類似する工事の情報やポイントを参照しながら施工計画を作成することができるので、必要な記載事項の漏れを防ぐことができる。また、テンプレートを使用した場合には、画一的な文章となる可能性が高くなるが、過去に作成された施工計画と比較することができるので、同一の文章とならないように文章を修正することができる。
【０１００】
また、図１３の課題設定ページ３０８は、種種別選択ボタン４８４または工事条件選択ボタン４８５のクリックにより、表示されていない施工計画項目を施工計画一覧４８２に追加するための、施工計画検索画面を表示する。
【０１０１】
図１７は、施工計画検索画面を示す図である。図１７に示す施工計画検索画面３１２は、工種種別選択欄５２１において工種種別を一覧表示してユーザ選択を受け付け、選択された工種種別に対応する施工計画項目を、施工計画表示欄５２２に登録候補として一覧表示する。または、施工計画検索画面３１２は、カテゴリ選択欄５２３においてカテゴリを一覧表示してユーザ選択を受け付け、選択されたカテゴリに対応する施工計画項目を、施工計画表示欄５２２に登録候補として一覧表示する。また、施工計画検索画面３１２は、施工計画項目のクリックにより、別画面において、同一の施工計画項目が登録された過去の工事の一覧を表示し、更に一覧から選択された工事において登録された施工計画を表示する。そして、施工計画検索画面３１２は、一覧表示した施工計画項目に対するユーザ選択を受け付け、追加ボタン５２４のクリックにより、選択された施工計画項目を登録候補に追加し、図１３の課題設定ページ３０８に戻る。
【０１０２】
なお、課題項目としては、例えば、課題についての発注者からの指定の有無、各工種の設計数量、設計金額および主要構造物との関係、自然条件、社会条件、契約図書の内容、現地調査により把握される工事箇所の状況などから、最も適切なものがユーザによって選択される。
【０１０３】
また、施工計画は、ユーザが、選択しようとしている工法が現場状況にマッチしているかなど、設計照査により問題を提起し、課題から考えられる対策を抽出および絞り込むことにより、作成される。このとき、施工計画詳細画面３０９の履歴情報欄４９３に表示される他工事の施工計画が良いヒントとなる。
【０１０４】
図１８は、案件情報画面の簡易な施工計画ページを示す図である。図１８に示す簡易な施工計画ページ３１３は、課題項目一覧５３１において、登録された課題項目を一覧表示し、課題項目のクリックにより、該当する課題項目についての文章作成を行うための簡易な施工計画詳細画面を表示する。
【０１０５】
図１９は、簡易な施工計画詳細画面を示す図である。図１９の簡易な施工計画詳細画面３１４は、施工計画入力欄５４１（初期状態では空欄）において施工計画の文章のユーザ入力を受け付け、設定理由入力欄５４２（初期状態では空欄）において設定理由の文章のユーザ入力を受け付ける。また、簡易な施工計画詳細画面３１４は、施工計画取得ボタン５４３のクリックにより、課題項目に対応付けて登録した施工計画を取得し、施工計画入力欄５４１に転記する。
【０１０６】
更に、簡易な施工計画詳細画面３１４は、文章作成ボタン５４４、５４５のクリックにより、施工計画入力欄５４１および設定理由入力欄５４２における文章作成を補助するための文章作成補助画面を表示する。
【０１０７】
図２０は、簡易な施工計画詳細画面３１４が表示する設定理由入力欄５４２の文章作成補助画面を示す図である。図２０の文章作成補助画面３１５は、図１５の文章作成補助画面３１０とほぼ同様の構成となっているが、更に、表現選択欄５５１において、文章表現の一覧をプルダウン表示してユーザ選択を受け付ける。そして、文章作成補助画面３１５は、文章作成ボタン５５２のクリックにより、図１５の文章作成補助画面３１０と同様に、選択された文章表現および入力された文字列を、テンプレートを用いて文章に組み立てて文章表示欄５５３に表示する。文章表示欄５５３の文章は、図１９の簡易な施工計画詳細画面３１４の簡易な設定理由入力欄５４２に転記される。
【０１０８】
図１９の簡易な施工計画詳細画面３１４は、登録ボタン５４６のクリックにより、入力された設定理由および施工計画を対応する課題項目に対応付けて登録する。
【０１０９】
なお、課題の設定理由は、ユーザが、問題解決のための最新技術の利用など、課題抽出からの工夫点を選定することにより、作成される。
【０１１０】
図２１は、案件詳細画面の施工計画書作成ページを示す図である。図２１の施工計画書作成ページ３１６は、課題表示欄５６１において、登録された課題項目を一覧表示してユーザ選択を受け付ける。そして、設定理由の出力を指定する設定理由出力チェックボックス５６３、および出力ファイル形式を指定するファイル形式チェックボックス５６４に対するユーザのチェックを受け付ける。また、施工計画書作成ページ３１６は、追加ボタン５６５のクリックにより、指定された追加資料のファイル名を取得して、そのファイル名を出力ファイル一覧５６６に追加する。そして、施工計画書作成ページ３１６は、データ出力ボタン５６７のクリックにより、指定された課題項目に対応付けて登録された施工計画（および設定理由）に基づいて施工計画書を作成し、作成した施工計画書を、指定された出力ファイル形式でデータ出力する。
【０１１１】
図２２は、上記手順により最終的に作成される施工計画書の一例を示す図である。図２２に示すように、施工計画書８００には、まず、出力を指定された課題項目８１０が配置され、続いて、課題項目８１０に対応付けて登録された設定理由８２０と、課題項目８１０に対応付けて登録された施工計画項目８３０および施工計画項目８３０に対応する施工計画８４０が配置される。
【０１１２】
一旦作成された施工計画書の内容は、後から任意に修正可能となっている。例えば、提案内容の実効性、費用、人員等を審査し、適宜修正することにより、高品質かつ実情に即した内容の施工計画書を作成することができる。
【０１１３】
以上説明したように、本実施の形態によれば、土木工事施工計画書作成支援システム１００は、土木工事の工種種別を表示して登録し、登録された工種種別に対応する留意判断項目を表示して登録し、登録された工種種別および留意判断項目に対応する施工計画項目を表示して登録する。そして、土木工事施工計画書作成支援システム１００は、課題項目を表示して登録し、登録された課題項目に対応付けて、課題項目の設定理由および登録された施工計画項目の施工計画に関する文章入力を受け付けて登録し、登録された課題項目と、この課題項目に対応付けられた設定理由および施工計画に基づいて、施工計画書を作成する。これにより、ユーザは、登録した項目に対応して表示される項目の中から選択して登録する作業を繰り返すことにより施工計画書を作成することができるので、少ない労力で施工計画書を作成することができる。また、工種種別を基点として対応する項目を選択肢として順次表示し、登録内容に基づいて施工計画書を作成するので、内容に過不足の無い高品質な施工計画書を作成することができる。
【０１１４】
また、本実施の形態によれば、土木工事施工計画書作成支援システム１００は、作成された施工計画書を、留意判断項目、施工計画項目、および課題項目の少なくとも１つに対応付けて記憶する。これにより、過去に作成された施工計画書を、留意判断項目、施工計画項目、および課題項目のうち対応付けが行われた項目で検索することができ、過去に作成された施工計画書の中から、文章作成の際に参考にすべき施工計画書を検索して表示することができる。すなわち、過去に作成された情報のうち類似した情報を簡単に抽出し、参考情報として表示することや、再利用することが可能となる。
【０１１５】
また、本実施の形態の土木工事施工計画書作成支援システム１００は、ユーザが指定したタイミングで、作成中の文章と同一の種類の文章を、検索した施工計画書から抽出して表示する。これにより、ユーザは、文章作成の際に参考にすべき文章を参考にしながら、より簡単に、かつ適切な文章を入力することができる。
【０１１６】
なお、本実施の形態では、過去の施工計画書の内容のうち、留意事項および施工計画についてのみ入力欄と同時表示させるようにしたが、課題の設定理由についても入力欄と同時表示させるようにしてもよい。
【０１１７】
（実施の形態２）
本発明の実施の形態２は、法令等の資料の項目である資料項目と、留意事項等の文章作成を伴う項目である入力項目とを、一画面に同時表示するようにした例である。
【０１１８】
図２３は、本発明の実施の形態２に係る土木工事施工計画書作成支援システムの構成を示すシステム構成図である。
【０１１９】
図２３において、土木工事施工計画書作成支援システム１００ａは、提供情報格納部１１０ａ、資料選択部１２０ａ、選択資料表示部１３０ａ、登録情報格納部１４０ａ、添付資料入力部１５０ａ、工事情報作成部１６０ａ、施工計画作成部１７０ａ、書式ファイル格納部１８０ａ、および工事情報出力部１９０ａを有する。
【０１２０】
提供情報格納部１１０ａは、実施の形態１の情報登録用データ格納部１１０に対応するものである。提供情報格納部１１０ａは、選択対象となる項目、項目リンク、積算基準書等の、施工計画書の作成に用いられる各種データを予め格納している。
【０１２１】
資料選択部１２０ａは、ユーザが文章作成を行う際に参照すべき資料（積算基準書、仕様書等）の項目の中から、工事ごとに使用する項目の絞込みを行う。具体的には、資料選択部１２０ａは、まず、工種種別を表示して登録し、登録された工種種別に対応する資料項目を、課題項目ごとに登録する。登録は、登録情報格納部１４０ａへの格納をもって行われる。そして、資料選択部１２０ａは、登録した選択項目を、選択肢として、後述の創意工夫作成画面に同時表示する（以下、この表示状態を適宜「一画面表示」という）。創意工夫作成画面は、施工計画書に盛り込まれる文章を入力するための画面である。すなわち、創意工夫作成画面では、選択項目を簡単に選択することができる状態で、文章入力を行うことができるようになっている。
【０１２２】
資料選択部１２０ａは、工種種別選択部１２１ａ、課題選択部１２２ａ、積算基準書選択部１２３ａ、仕様書選択部１２４ａ、法令選択部１２５ａ、標準案選択部１２６ａ、留意事項選択部１２７ａ、調査結果選択部１２８ａ、およびヒント選択部１２９ａを有する。
【０１２３】
工種種別選択部１２１ａは、後述の工種種別選択画面を生成し、工種種別の選択および登録を受け付ける。課題選択部１２２ａは、後述の工事情報入力画面を生成し、課題項目の選択および登録を受け付ける。
【０１２４】
積算基準書選択部１２３ａは、後述の基準書確認画面を生成し、登録された工種種別に対応する基準書項目を表示して、一画面表示の対象となる基準書項目の選択および登録を、課題項目ごとに受け付ける。仕様書選択部１２４ａは、後述の仕様書確認画面を生成し、登録された工種種別に対応する仕様書項目を表示して、一画面表示の対象となる仕様書項目の選択および登録を受け付ける。法令選択部１２５ａは、後述の法令確認画面を生成し、登録された工種種別に対応する法令項目を表示して、一画面表示の対象となる法令項目の選択および登録を受け付ける。
【０１２５】
標準案選択部１２６ａは、後述の標準案選択画面を生成し、登録された工種種別に対応する標準案項目を表示して、一画面表示の対象となる標準案項目の選択および登録を受け付ける。また、標準案選択部１２６ａは、後述の標準案作成画面を生成し、標準案の文章の入力を受け付ける。
【０１２６】
留意事項選択部１２７ａは、後述の留意事項選択画面を生成し、登録された工種種別に対応する留意項目を表示して、一画面表示の対象となる留意項目の選択および登録を受け付ける。また、留意事項選択部１２７ａは、後述の留意項目作成画面を生成し、留意事項の文章の入力および登録を受け付ける。
【０１２７】
調査結果選択部１２８ａは、後述の調査結果入力画面を生成し、登録された留意項目を表示して、一画面表示の対象となる調査結果項目としての選択および登録を受け付ける。また、調査結果選択部１２８ａは、後述の調査結果入力画面を生成し、調査結果の文章の
入力および登録を受け付ける。
【０１２８】
ヒント選択部１２９ａは、後述のヒント選択画面を生成し、登録された標準案項目と登録された留意項目との組み合わせ（以下、適宜「ヒント項目」という）を表示して、一画面表示の対象となるヒント項目の選択および登録を受け付ける。また、ヒント選択部１２９ａは、後述のヒント編集画面を生成し、ヒントとなる文章の入力および登録を受け付ける。
【０１２９】
選択資料表示部１３０ａは、登録された選択項目を表示する。登録は、登録情報格納部１４０ａへの格納をもって行われる。また、選択資料表示部１３０ａは、一画面に表示された各選択項目に対する選択操作が行われたときに、対応する資料を提供情報格納部１１０ａおよび登録情報格納部１４０ａから取得し、表示する。選択資料表示部１３０ａは、積算基準書確認部１３１ａ、仕様書確認部１３２ａ、法令確認部１３３ａ、標準案確認部１３４ａ、留意事項確認部１３５ａ、調査結果確認部１３６ａ、およびヒント確認部１３７ａを有する。
【０１３０】
積算基準書確認部１３１ａは、積算基準書項目が選択されたとき、後述の基準書表示画面を生成し、選択された項目の内容を表示する。仕様書確認部１３２ａは、仕様書項目が選択されたとき、後述の基準書表示画面を生成し、選択された項目の内容を表示する。法令確認部１３３ａは、後述の法令表示画面を生成し、選択された項目の内容を表示する。標準案確認部１３４ａは、後述の標準案確認画面を生成し、選択された項目の内容を表示する。留意事項確認部１３５ａは、後述の留意事項確認画面を生成し、選択された項目の内容を表示する。調査結果確認部１３６ａは、後述の調査結果確認画面を生成し、選択された項目の内容を表示する。ヒント確認部１３７ａは、後述のヒント確認画面を生成し、選択された項目の内容を表示する。
【０１３１】
添付資料入力部１５０ａは、実施の形態１の添付資料入力部１６０に対応し、これと同様の動作を行う。
【０１３２】
工事情報作成部１６０ａは、後述の工事情報入力画面において、工事情報のユーザ入力を受け付ける。また、工事情報作成部１６０ａは、入力された工事情報および添付資料入力部１５０ａから入力された添付資料を登録する。登録は、登録情報格納部１４０ａへの格納をもって行われる。
【０１３３】
施工計画作成部１７０ａは、実施の形態１の文章作成部１４０に対応する。施工計画作成部１７０ａは、施工計画書に含める設定理由、創意工夫について、文章作成の入力を受け付け、作成された文章を登録する。登録は、登録情報格納部１４０ａへの格納をもって行われる。施工計画作成部１７０ａは、設定理由作成部１７１ａ、設定理由作成補助部１７２ａ、創意工夫作成部１７３ａ、および文章作成補助部１７４ａを有する。
【０１３４】
設定理由作成部１７１ａは、後述の創意工夫作成画面を生成し、配慮事項の設定理由の入力および登録を受け付ける。設定理由作成補助部１７２ａは、後述の設定理由作成画面を生成し、設定理由の文章作成を補助する。創意工夫作成部１７３ａは、後述の創意工夫作成画面において、創意工夫の入力および登録を受け付ける。文章作成補助部１７４ａは、後述の文章作成画面を生成し、創意工夫の文章作成を補助する。
【０１３５】
書式ファイル格納部１８０ａおよび工事情報出力部１９０ａは、実施の形態１の情報出力部１８０に対応する。書式ファイル格納部１８０ａは、施工計画書および後述の各種シートを出力する際の書式ファイルを予め格納する。工事情報出力部１９０ａは、書式ファイル格納部１８０ａに格納された書式ファイルに基づいて、登録された配慮事項および設定理由の文章に基づいて、所定の書式の施工計画書をデータ出力またはプリンタ出力する。
【０１３６】
ここで、土木工事施工計画書作成支援システム１００ａが取り扱う各種情報および項目リンク情報の概要について説明する。
【０１３７】
図２４は、土木工事施工計画書作成支援システム１００ａが取り扱う各種情報および項目リンク情報の概要を示す図であり、実施の形態１の図２に対応する。図２４に示す内容のリンク情報は、例えば、実施の形態１のように、各種のマスタによって構成することができる。
【０１３８】
図２４に示すように、例えば、法令項目は、工種種別にリンクしている。これは、各種法令のうち、登録された工種種別に対応する法令項目のみ、一画面表示の対象となることを示す。このような選択項目の絞込みを可能にするリンク情報により、必要な選択項目を創意工夫等の入力部と一画面に表示することが可能となる。
【０１３９】
また、図２４に示すように、各選択項目には、その選択項目の内容がリンク付けられており、一画面に表示された選択項目の中からいずれかが選択されたとき、対応する内容が表示される。このような情報表示を可能にするリンク情報により、ユーザは、創意工夫等の入力操作をしながら、必要な情報を任意のタイミングで簡単に参照することができる。
【０１４０】
以下、上述のように構成された土木工事施工計画書作成支援システム１００ａの動作について、ユーザ操作に従って遷移する表示画面の様子を示しながら説明する。
【０１４１】
土木工事施工計画書作成支援システム１００ａは、施工計画表示、工事登録、積算基準書（以下単に「基準書」という）確認、仕様書確認、法令確認、標準案作成、留意事項検討、調査結果入力、ヒント入力、および創意工夫作成の作業順序を、ユーザに提供する。これは、施工計画を効率的に行うのに適した作業順序である。したがって、ユーザは、土木工事施工計画書作成支援システム１００ａが提供する作業順序に従うことにより、施工計画を効率的に行うことができる。
【０１４２】
図２５は、施工計画段階の工事一覧画面を示す図である。図２５に示す工事一覧画面３０１ａは、作業段階表示選択部４０１ａおよび工事リスト表示部４０２ａを有する。
【０１４３】
作業段階表示選択部４０１ａは、各作業段階の名称を、上述の作業手順に沿った順序で表示し、どの作業段階に対応する画面であるかを、表示形態の違いで示す。また、作業段階表示選択部４０１ａは、作業対象とする作業段階の選択を受け付ける。具体的には、いずれかの作業段階の名称がクリックされると、該当する作業段階に対応する画面に表示が切り替わる。なお、作業段階表示選択部４０１ａは、後述の各画面においても同様に表示される。
【０１４４】
工事リスト表示部４０２ａは、施工計画書の作成の対象として登録済みの工事の工事情報を、リスト化して表示する。
【０１４５】
工事リスト表示部４０２ａのいずれかの工事がクリックされると、その工事について既に登録された事項を反映した施工計画書表示画面の表示に切り替わる。なお、登録済みの工事が存在しない場合には、この工事リスト表示部４０２ａは表示されず、後述の工事情報入力画面が表示される。
【０１４６】
図２６は、施工計画書表示画面を示す図である。図２６に示す施工計画書表示画面３０２ａは、作業段階表示選択部４０１ａ、工事情報管理部４０６ａ、項目表示部４０７ａ、作業部４０８ａ、およびアドバイス表示部４０９ａを有する。
【０１４７】
工事情報管理部４０６ａは、工事に紐付けられた各種情報を表示し、特に、設定課題表示部４１０ａにおいて、後述の登録された課題（以下「設定課題」という）の項目（以下課題項目）という）を表示する。そして、設定課題表示部４１０ａは、作業対象となる課題項目の切り替えを受け付ける。項目表示部４０７ａは、後述する登録された資料項目および入力項目（以下、適宜「選択項目」と総称する）を、一画面に表示する。作業部４０８ａは、作業段階表示選択部４０１ａでクリックされた処理に対応する処理画面を表示する。このとき画面には、設定課題表示部４１０ａで選択された設定課題に紐づく内容が表示される。アドバイス表示部４０９ａは、作業部４０８ａに表示されている作業対象に関連するアドバイスを表示する。
【０１４８】
なお、工事情報管理部４０６ａ、項目表示部４０７ａ、作業部４０８ａ、およびアドバイス表示部４０９ａは、後述の各画面のうち、基準書確認の作業から創意工夫作業までの各画面においても同様に表示される。但し、作業部４０８ａに表示される作業対象は、後述の画面ごとに異なる。
【０１４９】
施工計画書表示画面３０２ａの作業部４０８ａは、選択された設定課題に対応する施工計画書を表示する。
【０１５０】
また、項目表示部４０７ａは、設定課題ごとに、各画面において、登録された選択項目またはユーザにより個別に設定された選択項目のみを表示する。土木工事において施工計画書に記載される可能性のある項目の数は膨大であり、全ての項目を一画面に表示することは困難である。本実施の形態では、登録された工種種別に対応する選択項目のみに絞ることにより、必要な選択項目の全てを一画面に表示することが可能となる。
【０１５１】
図２７は、工事登録段階の工事情報入力画面を示す図である。工事情報入力画面３０３ａは、実施の形態１の図６に示す案件登録画面３０１に対応する。図２７に示す工事情報入力画面３０３ａは、工事情報入力部４１１ａ、課題項目選択部４１２ａ、および配慮すべき事項の入力部４１３ａを有する。
【０１５２】
工事情報入力部４１１ａは、工事番号、工事名、発注者など、工事の識別情報および施工計画書作成に必要な情報等の工事情報の入力を受け付ける。課題項目選択部４１２ａは、課題項目の一覧を表示してユーザ選択を受け付ける。配慮すべき事項の入力部４１３ａは、以降の施工計画書作成作業において配慮すべき事項の入力を受け付ける。
【０１５３】
「次へ」ボタン４１４ａがクリックされると、同じ工事登録段階の工種種別選択画面の表示に切り替わる。
【０１５４】
図２８は、工種種別選択画面を示す図である。工種種別選択画面は、実施の形態１の図６に示す案件登録画面３０１に対応する。図２８に示す工種種別選択画面３０４ａは、工事区分選択部４１６ａ、工種選択部４１７ａ、種別選択部４１８ａ、および選択種別表示部４１９ａを有する。
【０１５５】
工事区分選択部４１６ａは、工事区分の一覧を表示し、ユーザ選択を受け付ける。工種選択部４１７ａは、選択中の工事区分に対応する工種の一覧を表示し、ユーザ選択を受け付ける。種別選択部４１８ａは、選択中の工事区分および工種に対応する種別を一覧表示し、ユーザ選択を受け付ける。選択種別表示部４１９ａは、仮登録された選択種別の一覧を表示する。選択種別表示部４１９ａに対する選択種別の追加および削除は、仮登録設定ボタン４２０ａおよび仮登録解除ボタン４２１ａがクリックされることにより行われる。
【０１５６】
「登録」ボタン４２２ａがクリックされると、工事情報入力画面３０３ａで入力または選択された工事情報、配慮すべき事項、および課題項目と、選択種別表示部４１９ａに表示中の選択種別とが登録される。
【０１５７】
図２９は、基準書確認段階の基準書確認画面を示す図である。図２９に示す基準確認画面３０５ａの作業部４０８ａは、基準書階層選択部４２６ａおよび基準書項目選択部４２７ａを有する。
【０１５８】
基準書階層選択部４２６ａは、基準書の登録対象を階層的に一覧表示し、ユーザ選択を受け付ける。基準書項目選択部４２７ａは、基準書項目を一覧表示する。チェックボックス４２８ａにチェックが入っていないとき、基準書項目選択部４２７ａのうち、基準書階層選択部４２６ａにおいて選択された部分に該当する基準書項目が一覧表示される。一方、チェックボックス４２８ａにチェックが入っているとき、基準書項目選択部４２７ａのうち、基準書階層選択部４２６ａにおいて選択された部分に該当する登録された選択種別に対応する基準書項目が一覧表示される。これにより、ユーザは、デフォルトで必要な基準書項目を確認しつつ、任意に登録対象を決定することができる。
【０１５９】
「登録ボタン」４３０ａがクリックされると、基準書項目選択部４２７ａにおいてチェックが入れられた基準書項目が登録されるとともに、その登録内容が、項目表示部４０７ａに反映される。すなわち、基準書項目の登録により、表示される基準書項目が絞込まれる。
【０１６０】
また、項目表示部４０７ａに表示された基準書項目のいずれかがクリックされると、基準書表示画面がポップアップ表示される。
【０１６１】
図３０は、基準書表示画面を示す図である。図３０に示す基準書表示画面３０６ａは、基準書詳細表示部４３１ａを有する。基準書詳細表示部４３１ａは、クリックされた基準書項目に対応する基準書の内容をスクロール表示する。「選択解除」ボタン４３２ａがクリックされると、対応する基準書項目の登録が解除され（項目表示部４０７ａから削除され）、「閉じる」ボタン４３３ａがクリックされると、基準書表示画面３０６ａが閉じられる。これにより、ユーザは、登録済みの基準書項目の内容を確認して、施工計画書に必要か否かを判断することができ、不要な登録を適宜解除することができる。
【０１６２】
図３１は、仕様書確認段階の仕様書確認画面を示す図である。図３１に示す仕様書確認画面３０７ａの作業部４０８ａは、仕様書階層選択部４３６ａおよび仕様書項目選択部４３７ａを有する。
【０１６３】
仕様書階層選択部４３６ａは、仕様書の登録対象を階層的に一覧表示し、ユーザ選択を受け付ける。仕様書項目選択部４３７ａは、仕様書項目を一覧表示する。チェックボックス４３８ａにチェックが入っていないとき、仕様書項目選択部４３７ａのうち、仕様書階層選択部４３６ａにおいて選択された部分に該当する仕様書項目が一覧表示される。一方、チェックボックス４３８ａにチェックが入っているとき、仕様書項目選択部４３７ａのうち、仕様書階層選択部４３６ａにおいて選択された部分に該当する登録された選択種別に対応する仕様書項目が一覧表示される。これにより、ユーザは、デフォルトで必要な仕様書項目を確認しつつ、任意に登録対象を決定することができる。
【０１６４】
「登録ボタン」４４０ａがクリックされると、仕様書項目選択部４３７ａにおいてチェックが入れられた仕様書項目が登録されるとともに、その登録内容が、項目表示部４０７ａに反映される。すなわち、仕様書項目の登録により、表示される仕様書項目が絞込まれる。
【０１６５】
また、項目表示部４０７ａに表示された仕様書項目のいずれかがクリックされると、仕様書表示画面がポップアップ表示される。
【０１６６】
図３２は、仕様書表示画面を示す図である。図３２に示す仕様書表示画面３０８ａは、仕様書詳細表示部４４１ａを有する。仕様書詳細表示部４４１ａは、クリックされた仕様書項目に対応する仕様書の内容をスクロール表示する。「選択解除」ボタン４４２ａがクリックされると、対応する仕様書項目の登録が解除され（項目表示部４０７ａから削除され）、「閉じる」ボタン４４３ａがクリックされると、仕様書表示画面３０８ａが閉じられる。これにより、ユーザは、登録済みの仕様書項目の内容を確認して、施工計画書に必要か否かを判断することができ、不要な登録を適宜解除することができる。
【０１６７】
図３３は、法令確認段階の法令確認画面を示す図である。図３３に示す法令確認画面３０９ａの作業部４０８ａは、法令階層選択部４４６ａおよび法令項目選択部４４７ａを有する。
【０１６８】
法令階層選択部４４６ａは、法令の登録対象を階層的に一覧表示し、ユーザ選択を受け付ける。法令項目選択部４４７ａは、法令項目を一覧表示する。法令階層選択部４４６ａにおいて選択された部分に該当する法令項目が一覧表示される。これにより、ユーザは、デフォルトで必要な法令項目を確認しつつ、任意に登録対象を決定することができる。
【０１６９】
「登録ボタン」４５０ａがクリックされると、法令項目選択部４４７ａにおいてチェックが入れられた法令項目が登録されるとともに、その登録内容が、項目表示部４０７ａに反映される。すなわち、法令項目の登録により、表示される法令項目が絞込まれる。
【０１７０】
また、項目表示部４０７ａに表示された法令項目のいずれかがクリックされると、法令表示画面がポップアップ表示される。
【０１７１】
図３４は、法令表示画面を示す図である。図３４に示す法令表示画面３１０ａは、法令詳細表示部４５１ａを有する。法令詳細表示部４５１ａは、クリックされた法令項目に対応する法令の内容をスクロール表示する。「選択解除」ボタン４５２ａがクリックされると、対応する法令項目の登録が解除され（項目表示部４０７ａから削除され）、「閉じる」ボタン４５３ａがクリックされると、法令表示画面３１０ａが閉じられる。これにより、ユーザは、登録済みの法令項目の内容を確認して、施工計画書に必要か否かを判断することができ、不要な登録を適宜解除することができる。
【０１７２】
図３５は、標準案作成段階の標準案選択画面を示す図である。図３５に示す標準案選択画面３１１ａの作業部４０８ａは、標準案階層選択部４５６ａおよび標準案項目選択部４５７ａを有する。
【０１７３】
標準案階層選択部４５６ａは、標準案の登録対象を階層的に一覧表示し、ユーザ選択を受け付ける。標準案項目選択部４５７ａは、標準案項目を一覧表示する。チェックボックス４５８ａにチェックが入っていないとき、標準案項目選択部４５７ａのうち、標準案階層選択部４５６ａにおいて選択された部分に該当する標準案項目が表示され、項目表示部４０７ａには、該当する標準案項目のみが表示される。一方、チェックボックス４５８ａにチェックが入っているとき、標準案項目選択部４５７ａのうち、登録された選択種別に対応する標準案項目が表示され、項目表示部４０７ａには、登録された選択種別に対応する標準案項目のみが表示される。これにより、ユーザは、デフォルトで必要な標準案項目を確認しつつ、任意に登録対象を決定することができる。
【０１７４】
「次へ」ボタン４５９ａがクリックされると、同じ標準案作成段階の標準案作成画面の表示に切り替わる。
【０１７５】
図３６は、標準案作成画面を示す図である。図３６に示す標準案作成画面３１２ａの作業部４０８ａは、仕様書抜粋表示部４６１ａおよび標準案入力部４６２ａを有する。
【０１７６】
仕様書抜粋表示部４６１ａは、仕様書の内容の中から、標準案選択画面３１１ａにおいて選択された標準案項目に対応する部分を抽出して表示する。標準案入力部４６２ａは、文章作成の入力を受け付ける。「コピー」ボタン４６３ａがクリックされたとき、仕様書抜粋表示部４６１ａに表示されている文章が、標準案入力部４６２ａに転写される。
【０１７７】
「登録」ボタン４６４ａがクリックされると、標準案入力部４６２ａに表示中の文章が、標準案選択画面３１１ａにおいて選択された標準案項目に対応付けて登録される。
【０１７８】
また、項目表示部４０７ａに表示された標準案項目のいずれかがクリックされると、標準案確認画面がポップアップ表示される。
【０１７９】
図３７は、標準案確認画面を示す図である。図３７に示す標準案確認画面３１３ａは、図３６に示す標準案作成画面３１２ａの作業部４０８ａと同様の構成となっており、登録が既に行われている場合には、その登録済された内容を表示する。但し、「選択解除」ボタン４６６ａがクリックされると、対応する標準案項目の登録が解除される（項目表示部４０７ａから削除される）。また、「登録」ボタン４６４ａがクリックされると、標準案入力部４６２ａに表示中の文章が再登録される。これにより、ユーザは、登録済みの標準案項目の内容を確認して、施工計画書に必要か否かを判断することができ、修正を加えたり、不要な登録を適宜解除することができる。
【０１８０】
図３８は、留意事項検討段階の留意事項選択画面を示す図である。図３８に示す留意事項選択画面３１４ａの作業部４０８ａは、留意事項階層選択部４７１ａおよび留意項目選択部４７２ａを有する。
【０１８１】
留意事項階層選択部４７１ａは、留意事項の登録対象を階層的に一覧表示し、ユーザ選択を受け付ける。留意項目選択部４７２ａは、留意項目を一覧表示する。チェックボックス４７３ａにチェックが入っていないとき、留意項目選択部４７２ａのうち、留意事項階層選択部４７１ａにおいて選択された部分に該当する留意項目が表示され、項目表示部４０７ａには、該当する留意項目のみが表示される。一方、チェックボックス４７３ａにチェックが入っているとき、留意項目選択部４７２ａのうち、登録された選択種別に対応する留意項目が表示され、項目表示部４０７ａには、登録された選択種別に対応する留意項目のみが表示される。これにより、ユーザは、デフォルトで必要な留意項目を確認しつつ、任意に登録対象を決定することができる。
【０１８２】
「次へ」ボタン４７４ａがクリックされると、同じ留意事項検討段階の留意事項作成画面の表示に切り替わる。
【０１８３】
図３９は、留意事項作成画面を示す図である。図３９に示す留意事項作成画面３１５ａの作業部４０８ａは、法令抜粋表示部４７６ａおよび留意事項入力部４７７ａを有する。
【０１８４】
法令抜粋表示部４７６ａは、法令切替部４７８ａにおいて選択された法令の内容の中から、留意事項選択画面３１４ａにおいて選択された留意項目に対応する部分を抽出して表示する。法令切替選択部４７８ａは、例えばハイパーリンクであり、クリックされたとき、インターネットを経由して、省庁のデータベース等から対応する法令のデータを取得し、取得したデータの内容を、法令抜粋表示部４７６ａに表示する。留意事項入力部４７７ａは、文章作成の入力を受け付ける。「コピー」ボタン４７９ａがクリックされたとき、法令抜粋表示部４７６ａに表示されている文章が、留意事項入力部４７７ａに転写される。
【０１８５】
「登録」ボタン４８０ａがクリックされると、留意事項入力部４７７ａに表示中の文章が、留意事項選択画面３１４ａにおいて選択された留意項目に対応付けて登録される。
【０１８６】
また、項目表示部４０７ａに表示された留意項目のいずれかがクリックされると、留意事項確認画面がポップアップ表示される。
【０１８７】
図４０は、留意事項確認画面を示す図である。図４０に示す留意事項確認画面３１６ａは、図３９に示す留意事項作成画面３１５ａの作業部４０８ａと同様の構成となっており、登録が既に行われている場合には、その登録済された内容を表示する。但し、「選択解除」ボタン４８１ａがクリックされると、対応する留意項目の登録が解除される（項目表示部４０７ａから削除される）。また、「登録」ボタン４８０ａがクリックされると、留意事項入力部４７７ａに表示中の文章が再登録される。これにより、ユーザは、登録済みの留意項目の内容を確認して、施工計画書に必要か否かを判断することができ、修正を加えたり、不要な登録を適宜解除することができる。
【０１８８】
図４１は、調査結果入力段階の調査結果入力画面を示す図である。図４１に示す調査結果入力画面３１７ａは、選択済み留意項目表示部４８６ａおよび調査結果入力部４８７ａを有する。
【０１８９】
選択済み留意項目表示部４８６ａは、登録された留意項目を、調査指示項目として表示し、ユーザ選択を受け付ける。調査結果入力部４８７ａは、文章入力を受け付ける。「登録」ボタン４８８ａがクリックされると、選択済み留意項目表示部４８６ａにおいて選択中の留意項目が調査結果項目に追加登録されるとともに、その登録内容が、項目表示部４０７ａに反映される。また、調査結果入力部４８７ａに表示されている文章が、調査指示項目（調査結果項目）に対応付けて登録される。これにより、登録された留意項目に対応する調査指示項目毎に、調査の結果を登録することができる。
【０１９０】
また、項目表示部４０７ａに表示された調査結果項目のいずれかがクリックされると、調査結果確認画面がポップアップ表示される。
【０１９１】
図４２は、調査結果確認画面を示す図である。図４２に示す調査結果確認画面３１８ａは、調査結果編集部４９１ａを有する。調査結果編集部４９１ａは、登録された調査結果項目の文章を表示し、ユーザ編集を受け付ける。「選択解除」ボタン４９２ａがクリックされると、対応する調査結果項目の登録が解除される（項目表示部４０７ａから削除される）。また、「登録」ボタン４８８ａがクリックされると、調査結果編集部４９１ａに表示中の文章が再登録される。これにより、ユーザは、登録済みの調査結果項目の内容を確認して、施工計画書に必要か否かを判断することができ、修正を加えたり、不要な登録を適宜解除することができる。
【０１９２】
図４３は、ヒント項目検討段階のヒント項目選択画面を示す図である。図４３に示すヒント項目選択画面３１９ａの作業部４０８ａは、ヒント項目選択部４９６ａを有する。
【０１９３】
ヒント項目選択部４９６ａは、登録された標準案項目と登録された留意項目との組み合わせ（ヒント項目）を一覧表示し、ユーザ選択を受け付ける。これにより、ユーザは、デフォルトで必要なヒント項目を確認しつつ、任意に登録対象を決定することができる。
【０１９４】
「次へ」ボタン４９７ａがクリックされると、同じヒント項目検討段階のヒント編集画面の表示に切り替わる。
【０１９５】
図４４は、ヒント編集画面を示す図である。図４４に示すヒント編集画面３２０ａの作業部４０８ａは、ヒント抜粋表示部５０１ａおよびヒント入力部５０２ａを有する。
【０１９６】
ヒント抜粋表示部５０１ａは、ヒント本文のデータベースから、ヒント項目選択画面３１９ａにおいて選択されたヒント項目に対応する部分を抽出して表示する。ヒント入力部５０２ａは、文章作成の入力を受け付ける。「コピー」ボタン５０３ａがクリックされたとき、ヒント抜粋表示部５０１ａに表示されている文章が、ヒント入力部５０２ａに転写される。
【０１９７】
「登録」ボタン５０４ａがクリックされると、ヒント入力部５０２ａに表示中の文章が、ヒント項目選択画面３１９ａにおいて選択されたヒント項目に対応付けて登録される。
【０１９８】
また、項目表示部４０７ａに表示されたヒント項目のいずれかがクリックされると、ヒント確認画面がポップアップ表示される。
【０１９９】
図４５は、ヒント確認画面を示す図である。図４５に示すヒント確認画面３２１ａは、図４４に示すヒント編集画面３２０ａの作業部４０８ａと同様の構成となっており、登録が既に行われている場合には、その登録済された内容を表示する。但し、「選択解除」ボタン５０６ａがクリックされると、対応するヒント項目の登録が解除される（項目表示部４０７ａから削除される）。また、「登録」ボタン５０４ａがクリックされると、ヒント入力部５０２ａに表示中の文章が再登録される。これにより、ユーザは、登録済みのヒント項目の内容を確認して、施工計画書に必要か否かを判断することができ、修正を加えたり、不要な登録を適宜解除することができる。
【０２００】
図４６は、創意工夫作成段階の創意工夫作成画面を示す図である。図４６に示す創意工夫作成画面３２２ａの作業部４０８ａは、配慮事項表示部５１１ａ、設定理由入力部５１２ａ、および提案文章入力部５１３ａを有する。
【０２０１】
配慮事項表示部５１１ａは、登録された課題項目に対応する配慮事項を表示する。設定理由入力部５１２ａは、後述の設定理由作成画面で入力された、配慮事項の設定理由を表示する。提案文章入力部５１３ａは、標準案項目と対応付けて、創意工夫事項のユーザ入力を受け付ける。
【０２０２】
「理由参照」ボタン５１４ａがクリックされたとき、設定理由作成画面がポップアップ表示される。また、「文章作成」ボタン５１５ａがクリックされたとき、文章作成画面がポップアップ表示される。
【０２０３】
図４７は、設定理由作成画面を示す図である。図４７に示す設定理由作成画面３２３ａは、課題名選択部５１６ａ、文字列入力部５１７ａ、および文章表示部５１８ａを有する。
【０２０４】
課題名選択部５１６ａは、文章パターンを示す課題名の一覧をプルダウン表示してユーザ選択を受け付ける。文章表示部５１８ａは、選択された課題名に対応する文章のテンプレートを表示する。文章のテンプレートは、工事に応じて変更される部分（以下「空白部分」という）に、初期状態では、ダミーの文字列が挿入されている。テンプレートは、例えば、実施の形態１の図１６で説明した形式とすることができる。文字列入力部５１７ａは、文章表示部５１８ａに表示されているテンプレートのうち、空白部分に対応する質問事項と、この質問事項に対応するプルダウンメニューまたは文字列入力欄とを、対にして表示する。文章表示部５１８ａに表示されるダミーの文字列は、対応する質問事項を括弧書きにした文字列となっている。そして、ダミーの文字列は、対応する文字列が選択または入力される毎に、その選択または入力された文字列に置き換わる。
【０２０５】
「ＯＫ」ボタン５２１ａがクリックされたとき、文章表示部５１８ａに表示されている文字列が、創意工夫作成画面３２２ａの設定理由入力部５１２ａに転写され、設定理由作成画面３２３ａは閉じられる。これにより、ユーザは、文章全体を確認しながら、簡単な操作により、設定理由の文章を作成することができる。
【０２０６】
図４８は、文章作成画面を示す図である。図４８に示す文章作成画面３２４ａは、定型文選択部５２６ａ、文字列入力部５２７ａ、および文章表示部５２８ａを有する。
【０２０７】
定型文選択部５２６ａは、文章パターンを示す定型文名の一覧をプルダウン表示してユーザ選択を受け付ける。文字列入力部５２７ａは、選択された定型文名に対応する質問事項を表示して文字列の入力を受け付ける。文章表示部５２８ａは、選択された定型文名に対応する文章のテンプレートに、文字列入力部５２７ａにおいて選択または入力された文字列を当て嵌めた文章を表示する。
【０２０８】
「ＯＫ」ボタン５２９ａがクリックされたとき、文章表示部５２８ａに表示されている文字列が、創意工夫作成画面３２２ａの提案文章入力部５１３ａに転写され、文章作成画面３２４ａは閉じられる。これにより、ユーザは、簡単な操作により、提案文章を作成することができる。
【０２０９】
以上の各画面での操作により、施工計画書作成に必要な項目の選択および文章の入力が完了する。
【０２１０】
画面上の「作成」タブがクリックされることにより、施工計画書作成画面に遷移する。施工計画書作成画面は、登録された施工計画書に対するユーザの確認および修正を受け付ける。
【０２１１】
図４９〜図５２は、施工計画書作成画面を示す図である。図４９〜図５２に示す施工計画書作成画面３２５ａは、作成資料表示部５３１ａ、および資料表示部５３２ａを有する。
【０２１２】
作成資料表示部５３１ａは、作成対象となる資料の種類を一覧表示し、ユーザ選択を受け付ける。資料の種類は、施工計画書、標準案チェックシート、留意判断項目チェックシート、および対策案検討シートである。資料表示部５３２ａは、作成資料表示部５３１ａにおいて選択中の資料を、登録されている項目および文章に基づいて作成したときの内容で表示する。図４９〜図５２は、順に、施工計画書、標準案チェックシート、留意判断項目チェックシート、および対策案検討シートが表示されたときの状態を示す。
【０２１３】
「出力」ボタン５３３ａがクリックされたとき、選択中の資料のプリンタ出力が行われる。
【０２１４】
このような施工計画書作成画面３２５ａやその印刷物により、ユーザは、作成資料の内容や誤字脱字等をチェックし、適宜、登録される項目や文章を修正することができる。すなわち、資料の品質を向上させることができる。
【０２１５】
画面上の「機能」タブがクリックされることにより、工程計画機能画面に遷移する。工程計画機能画面は、工程表を作成するための画面である。
【０２１６】
図５３は、工程計画機能画面を示す図である。工程計画機能画面３２６ａは、「行追加」ボタン５３６ａのクリックにより、工程表５３７ａの行を追加し、「行削除」ボタン５３８ａのクリックにより、工程表５３７ａの行を削除する。工程表５３７ａの各行は、工種および工事期間のユーザ入力を受け付ける。そして、「登録」ボタン５３９ａがクリックされたとき、表示中の工程表５３７ａが登録され、「出力」ボタン５４０ａがクリックされたとき、表示中の工程表５３７ａがプリンタ出力される。
【０２１７】
以上説明したように、本実施の形態によれば、土木工事施工計画書作成支援システム１００ａは、土木工事の工種種別および課題項目をそれぞれ表示して登録し、登録された工種種別に対応する資料項目および入力項目を、課題項目毎に、一画面に同時表示する。そして、土木工事施工計画書作成支援システム１００ａは、画面に表示された資料項目および入力項目に対する選択操作を受け付け、資料項目が選択されたとき、選択された資料項目に予め対応付けられた資料を表示する。また、土木工事施工計画書作成支援システム１００ａは、同じ画面に表示された入力項目が選択されたとき、選択された入力項目に対応付けて、文章作成の入力を受け付け、作成された文章を登録する。そして、土木工事施工計画書作成支援システム１００ａは、登録された文章に基づいて、施工計画書を作成する。これにより、ユーザは、一画面に同時表示された資料項目および入力項目に対する操作により、資料の参照と文章の作成とを、同時にまたは効率良く切り替えながら、必要な文章を登録することができる。すなわち、ユーザは、少ない労力で高品質な施工計画書を作成することができる。
【０２１８】
なお、表示対象となる資料項目および入力項目、並びに施工計画書に含められる文章の種類は、上述の例に限定されない。
【０２１９】
また、実施の形態１記載の技術と実施の形態２記載の技術とを、全体的または部分的に組み合わせても良い。例えば、履歴情報の記憶および表示の技術を、実施の形態２に係る土木工事施工計画書作成支援システム１００ａに追加したり、文章のテンプレートの全体を表示しながら文章を作成する技術を、実施の形態１に係る土木工事施工計画書作成支援システム１００に採用することが考えられる。
【産業上の利用可能性】
【０２２０】
本発明に係る土木工事施工計画書作成支援システム、土木工事施工計画書作成支援方法、および土木工事施工計画書作成支援プログラムは、少ない労力で高品質な施工計画書を作成することができる土木工事施工計画書作成支援システム、土木工事施工計画書作成支援方法、および土木工事施工計画書作成支援プログラムとして有用である。
【符号の説明】
【０２２１】
１００、１００ａ  土木工事施工計画書作成支援システム
１１０  情報登録用データ格納部
１１１  項目リンク情報格納部
１１２  工種種別格納部
１１３  カテゴリ格納部
１１４  留意判断項目格納部
１１５  施工計画項目格納部
１１６  法令・基準情報格納部
１１７  留意事項ヒント格納部
１１８  課題項目格納部
１１９  質問情報格納部
１３０  項目選択部
１３１  工事情報設定部
１３２  留意事項確認部
１３３  施工内容確認部
１３４  法令・基準書確認部
１３５  課題項目設定部
１４０  文章作成部
１４１  留意事項作成部
１４２  施工計画作成部
１４３  設定理由作成部
１４４  文章作成補助部
１５０  書式データ格納部
１６０  添付資料入力部
１７０  計画書作成部
１８０  情報出力部
１９０  履歴情報格納部
１１０ａ  提供情報格納部
１２０ａ  資料選択部
１２１ａ  工種種別選択部
１２２ａ  課題選択部
１２３ａ  積算基準書選択部
１２４ａ  仕様書選択部
１２５ａ  法令選択部
１２６ａ  標準案選択部
１２７ａ  留意事項選択部
１２８ａ  調査結果選択部
１２９ａ  ヒント選択部
１３０ａ  選択資料表示部
１３１ａ  積算基準書確認部
１３２ａ  仕様書確認部
１３３ａ  法令確認部
１３４ａ  標準案確認部
１３５ａ  留意事項確認部
１３６ａ  調査結果確認部
１３７ａ  ヒント確認部
１４０ａ  登録情報格納部
１５０ａ  添付資料入力部
１６０ａ  工事情報作成部
１７０ａ  施工計画作成部
１７１ａ  設定理由作成部
１７２ａ  設定理由作成補助部
１７３ａ  創意工夫作成部
１７４ａ  文章作成補助部
１８０ａ  書式ファイル格納部
１９０ａ  工事情報出力部
【図１】
0005414400.tif 000002
【図２】
0005414400.tif 000003
【図３】
0005414400.tif 000004
【図４】
0005414400.tif 000005
【図５】
0005414400.tif 000006
【図６】
0005414400.tif 000007
【図７】
0005414400.tif 000008
【図８】
0005414400.tif 000009
【図９】
0005414400.tif 000010
【図１０】
0005414400.tif 000011
【図１１】
0005414400.tif 000012
【図１２】
0005414400.tif 000013
【図１３】
0005414400.tif 000014
【図１４】
0005414400.tif 000015
【図１５】
0005414400.tif 000016
【図１６】
0005414400.tif 000017
【図１７】
0005414400.tif 000018
【図１８】
0005414400.tif 000019
【図１９】
0005414400.tif 000020
【図２０】
0005414400.tif 000021
【図２１】
0005414400.tif 000022
【図２２】
0005414400.tif 000023
【図２３】
0005414400.tif 000024
【図２４】
0005414400.tif 000025
【図２５】
0005414400.tif 000026
【図２６】
0005414400.tif 000027
【図２７】
0005414400.tif 000028
【図２８】
0005414400.tif 000029
【図２９】
0005414400.tif 000030
【図３０】
0005414400.tif 000031
【図３１】
0005414400.tif 000032
【図３２】
0005414400.tif 000033
【図３３】
0005414400.tif 000034
【図３４】
0005414400.tif 000035
【図３５】
0005414400.tif 000036
【図３６】
0005414400.tif 000037
【図３７】
0005414400.tif 000038
【図３８】
0005414400.tif 000039
【図３９】
0005414400.tif 000040
【図４０】
0005414400.tif 000041
【図４１】
0005414400.tif 000042
【図４２】
0005414400.tif 000043
【図４３】
0005414400.tif 000044
【図４４】
0005414400.tif 000045
【図４５】
0005414400.tif 000046
【図４６】
0005414400.tif 000047
【図４７】
0005414400.tif 000048
【図４８】
0005414400.tif 000049
【図４９】
0005414400.tif 000050
【図５０】
0005414400.tif 000051
【図５１】
0005414400.tif 000052
【図５２】
0005414400.tif 000053
【図５３】
0005414400.tif 000054